(57)【要約】【課題】  選別部からの２番処理物を穀粒と塵埃に精度よく選別して穀粒を脱穀機体内に還元することができるようし、かつ、穀粒が塵埃と共に排出されることを回避しやすいようにする。【解決手段】  ２番コンベヤ２２の搬送終端部に接続した中間処理ケース４０の排出口４２の機体上方側部分に揚送コンベヤ２３を連通させ、機体下方側部分に排塵ケース５０を連通させてある。中間処理ケース４０は、２番コンベヤ２２からの処理物を放出回転体４３によって排出口４２から放出して揚送コンベヤ２３と排塵ケース５０に供給する。揚送コンベヤ２３は、中間処理ケース４０からの穀粒を脱穀機体内に還元する。排塵ケース５０は、中間処理ケース４０からの塵埃を排塵口５３から排出する。排塵ケース５０に入り込んだ穀粒は、選別部５６によって塵埃から比重選別され、回転体５７によって排塵ケース５０から中間処理ケース４０に還元される。【選択図】        図３
2005295845.tif 000002
【特許請求の範囲】
【請求項１】
選別部からの２番処理物を搬送する２番コンベヤ、この２番コンベヤからの処理物を揚送して脱穀機体内に還元する揚送コンベヤを備えた脱穀機であって、
前記２番コンベヤからの処理物を脱穀機体横向きの軸芯まわりで回転する放出回転体による放出作用によって排出口から排出する中間処理ケースを設け、前記中間処理ケースの前記排出口の機体上方側部分に、前記揚送コンベヤの受け入れ口を連通させ、
前記中間処理ケースの前記排出口の機体下方側部分に連通されて、前記中間処理ケースからの処理物を前記放出回転体による放出作用によって排塵口から排出する排塵ケースを設け、
前記排塵ケースの内部に、流動する処理物から穀粒を比重選別によって抽出する選別部、及び、前記選別部からの穀粒を前記中間処理ケースに前記排出口を介して還元する回転体を設けてある脱穀機。
【請求項２】
前記排塵ケースの前記排塵口を前記選別部に対して昇降調節する調節部を設けてある請求項１記載の脱穀機。
【発明の詳細な説明】
【技術分野】
【０００１】
本発明は、選別部からの２番処理物を搬送する２番コンベヤ、この２番コンベヤからの処理物を揚送して脱穀機体内に還元する揚送コンベヤを備えた脱穀機に関する。
【背景技術】
【０００２】
上記脱穀機において、従来、例えば特許文献１に示されるように、スクリューケース３０（揚送コンベヤの搬送ケースに相当）の外方に向けて塵埃を掻き出す掻出羽根３２をスクリュー軸２４に一体回転するように設け、スクリューケース３０の掻出羽根３２外周箇所に除塵用の開口３３を設け、処理物揚送用スクリュー２５によって揚送される処理物からの塵埃をスクリューケース３０の外へ排出するように除塵構造Ｅを構成されたものがあった。
【０００３】
【特許文献１】実開平２−１２３８３２号公報（第１０頁、第２図）
【発明の開示】
【発明が解決しようとする課題】
【０００４】
上記の２番コンベヤからの処理物が穀粒と、ワラ屑などの塵埃とに選別処理されて脱穀機体内に還元されるようにするのに、従来の技術を採用すると、穀粒が塵埃に混入して排出されやすくなるか、塵埃が排出されにくくなる問題が発生しやすくなっていた。
すなわち、揚送コンベヤにおいて塵埃を処理物から抽出されることから、塵埃がスムーズに排出されるようにすれば、殊に大きな塵埃が排出されやすくなるようにすれば、塵埃の排出通路を大きくする必要があることから、穀粒が塵埃と共に排出されやすくなっていた。穀粒が塵埃に混入して排出されにくくなるようにすれば、塵埃の排出通路を小さくする必要があることから、塵埃がスムーズに排出されにくくなっていた。
【０００５】
本発明の目的は、穀粒が塵埃と共に排出されにくいように、かつ、塵埃がスムーズに排出されるように精度よく選別処理させながら２番処理物を脱穀機体内に還元することができる脱穀機を提供することにある。
【課題を解決するための手段】
【０００６】
本第１発明にあっては、選別部からの２番処理物を搬送する２番コンベヤ、この２番コンベヤからの処理物を揚送して脱穀機体内に還元する揚送コンベヤを備えた脱穀機であって、
前記２番コンベヤからの処理物を脱穀機体横向きの軸芯まわりで回転する放出回転体による放出作用によって排出口から排出する中間処理ケースを設け、前記中間処理ケースの前記排出口の機体上方側部分に、前記揚送コンベヤの受け入れ口を連通させ、
前記中間処理ケースの前記排出口の機体下方側部分に連通されて、前記中間処理ケースからの処理物を前記放出回転体による放出作用によって排塵口から排出する排塵ケースを設け、
前記排塵ケースの内部に、流動する処理物から穀粒を比重選別によって抽出する選別部、及び、前記選別部からの穀粒を前記中間処理ケースに前記排出口を介して還元する回転体を設けてある。
【０００７】
すなわち、２番コンベヤからの処理物が中間処理ケースにおいて放出回転体による放出作用によって排出口から排出されて揚送コンベヤ及び排塵ケースに供給される。このとき、穀粒や塵埃の重量差などに起因して穀粒が排出口の機体上方側部分に飛びやすく、塵埃が排出口の機体下方側部分に飛びやすいことから、穀粒は塵埃と分別されて揚送コンベヤに供給されやすくなり、塵埃は穀粒と分別されて排塵ケースに供給されやすくなる。穀粒が塵埃に混入して排塵ケースに入り込んだ場合、この排塵ケースの選別部によって抽出されて回転体によって中間処理ケースに還元され、再度、放出回転体による放出作用によって排出口から放出されて揚送コンベヤに供給される。これにより、２番コンベヤからの処理物が中間処理ケースで穀粒と塵埃に選別されてから揚送コンベヤと排塵ケースに分けて供給され、穀粒が排塵ケースに入り込むことがあっても、排塵ケースから中間処理ケースに還元されて中間処理ケースから揚送コンベヤに供給され、穀粒を混入塵埃が少ない状態にして、かつ、塵埃と共に排出されにくいようにして脱穀機体内に還元することができ、塵埃が揚送コンベヤを介さずに排塵ケースから排出されるようにできる。
【０００８】
従って、本第１発明によれば、２番コンベヤからの処理物を穀粒と塵埃に精度よく選別し、穀粒を混入塵埃が少ない状態で脱穀機体内に還元して効率よく再処理することができ、かつ、穀粒が塵埃と共に排出される損失を極力回避することでき、さらに、塵埃が揚送コンベヤを介さずにスムーズに排出されるようにできる。
【０００９】
本第２発明にあっては、本第１発明の構成において、前記排塵ケースの前記排塵口を前記選別部に対して昇降調節する調節部を設けてある。
【００１０】
すなわち、処理物の湿り度合いが高い場合、調節部によって排塵口を選別部に対して低く位置するように調節し、塵埃を高い含水率や濡れ度合いにかかわらず排塵口から出やすくすることができ、処理物の湿り度合いが低い場合、調節部によって排塵口を選別部に対して高く位置するように調節し、穀粒が塵埃に混入して排塵口から出ることを発生しにくくしながら塵埃を排塵口から排出することができる。
【００１１】
従って、本第２発明によれば、脱穀処理する穀稈が湿っている場合も乾燥している場合も、塵埃が排塵ケースから排出されやすくて穀粒に混入しにくくしながら、かつ、穀粒が排塵ケースから排出される損失を発生しにくくしながら２番処理物を脱穀機体内に還元することができる。
【発明を実施するための最良の形態】
【００１２】
以下、本発明の実施例を図面に基づいて説明する。
図１に示すように、脱穀フィードチェーン１、扱室２などを備えた脱穀部Ａ、前記扱室２の下方に前端側が位置する駆動揺動自在な揺動選別装置１１、扱室２の後方に位置する排塵ファン１２などを備えた選別部Ｂ、前記揺動選別装置１１の下方に脱穀機体の前後方向に並べて設けた１番コンベヤ２１、２番コンベヤ２２、２番コンベヤ２２の搬送終端部に接続された揚送コンベヤ２３を備えさせ、脱穀機体の後部に連結した排ワラ細断装置３０を有した排ワラ処理部Ｃを備えさせて、コンバイン用の排ワラ細断装置付き脱穀機を構成してある。
【００１３】
この脱穀機は、コンバインの前処理部によって刈取り処理された稲、麦などの刈取穀稈を脱穀処理し、脱穀処理物を選別処理し、脱穀排ワラを細断や長ワラ状態で放出するものであり、各部は次の如く処理を行なうようになっている。
すなわち、脱穀部Ａは、脱穀フィードチェーン１によって前処理部からの刈取穀稈の株元側を挟持して脱穀機体後方向きに搬送することにより、その刈取穀稈の穂先側を扱室２に供給して脱穀機体前後向きの軸芯まわりで回動する扱胴３によって脱穀処理し、脱穀排ワラを脱穀フィードチェーン１によって扱室２の送塵口４から搬出する。
【００１４】
選別部Ｂは、扱室２の受網５から落下した脱穀処理物を揺動選別装置１１によって受け止めて脱穀機体後方向きに搬送しながら、この揺動選別装置１１と、揺動選別装置１１の前端側の下方に位置する唐箕１３によって脱穀機体後方向きに供給される選別風とによって穀粒と塵埃とに選別処理し、穀粒を揺動選別装置１１から落下させ、塵埃を選別風と共に排塵ファン１２の吐出口１２ａや脱穀機体の排塵口１４から脱穀機体の後方側に排出する。
【００１５】
１番コンベヤ２１は、スクリューコンベヤで成り、選別部Ｂから落下した１番処理物を回収して脱穀機体の底板の一部で成る樋形の搬送ガイド板に沿わせて脱穀機体の横外側に搬出する。２番コンベヤ２２は、スクリューコンベヤで成り、選別部Ｂから落下した２番処理物を回収して脱穀機体の底板の一部で成る樋形の搬送ガイド板に沿わせて脱穀機体の横外側に搬出する。
【００１６】
揚送コンベヤ２３は、スクリューコンベヤで成り、２番コンベヤ２２からの処理物を脱穀機体の横外側で選別部Ｂの上部付近の高さまで揚送し、脱穀機体横側壁の投入口２４から脱穀機体の内部に吐出して前記揺動選別装置１１に還元する。
【００１７】
排ワラ処理部Ｃは、脱穀フィードチェーン１によって扱室２から排出された脱穀排ワラを、株元側に作用する挟持搬送装置と、穂先側に作用する係止搬送装置とで成る排ワラ搬送装置３１によって横倒れ姿勢で脱穀機体後方側に搬送して前記排ワラ細断装置３０のカッターケース３２の上に落下させる。このカッターケース３２の排ワラ受け入れ口の揺動開閉自在な蓋体３３が閉じられていると、排ワラ搬送装置３１から落下した脱穀排ワラを蓋体３３の外面側に沿わせて機体後方側に移動させ、排ワラ細断装置３０の後側から圃場に長ワラ状態で落下させる。カッターケース３２の前記蓋体３３が開かれていると、排ワラ搬送装置３１から落下した脱穀排ワラをカッターケース３２の内部に落下させてカッター軸の円盤刃３４と、供給軸の円盤供給刃３５とによって排ワラ稈身方向に細断し、細断ワラをカッターケース３２の底部の排出口から圃場に落下させる。
【００１８】
図２，３に示すように、前記２番コンベヤ２１の搬送終端部と、前記揚送コンベヤ２３との間に中間処理ケース４０を設け、揚送コンベヤ２３の下部に排塵ケース５０を連設してある。
【００１９】
中間処理ケース４０の脱穀機体の横側壁に面した側壁に、２番コンベヤ２２の搬送終端部に連通した投入口４１を設けてある。中間処理ケース４０の周壁に排出口４２を設けるとともに、この排出口４２の機体上方側に位置する部分を、揚送コンベヤ２３の搬送ガイド筒２３ａの下端部に位置する受け入れ口２３ｂに連通させ、前記排出口４２の機体下方側に位置する部分を、前記排塵ケース５０の内部に連通させてある。中間処理ケース４０の内部に、複数枚の回転羽根４３ａを有した放出回転体４３を設けるとともに、この放出回転体４３は、２番コンベヤ２２のスクリュー軸２２ａの端部に一体回転自在に連結されている
【００２０】
これにより、中間処理ケース４０は、２番コンベヤ２２から前記投入口４１を介して中間処理ケース４０の内部に供給された穀粒やワラ屑などの処理物を、２番コンベヤ２２の駆動力によってスクリュー軸２２ａの機体横向きの軸芯４３ｂまわりで回転方向Ｆに回転する状態に駆動される回転体４３の回転羽根４３ａによる放てきと、回転羽根４３ａによって発生する搬送風とによって中間処理ケース４０の排出口４２から排出して揚送コンベヤ２３及び排塵ケース５０に供給する。
【００２１】
排塵ケース５０は、前記中間処理ケース４０の前記排出口４２に連通する開口５１を有したケース本体５２と、このケース本体５２の上端部から機体上方向きに延出するとともに延出端部に排塵口５３を有した排出ケース部５４とによって構成してある。
排塵ケース５０の前記ケース本体５２内の上部に、傾斜ガイド面５５を有した選別部５６を設け、排塵ケース５０のケース本体５２の内部に、一枚の羽根形の回転体５７を揚送コンベヤ２３のスクリュー軸２３ｃによって回動駆動されるように構成して設けてある。
前記選別部５６は、中間処理ケース４０の排出口４２からケース本体５２の内部に供給され、中間処理ケース４０の放出回転体４３による移送作用のために水平またはほぼ水平方向に流動するワラ屑などの処理物を傾斜ガイド面５５による案内作用によって排出ケース部５４に向けて機体上方向きに向き変更させる。すると、ワラ屑など比較的軽量な物が排出ケース部５４に流入しやすくなり、穀粒が塵埃に比して重くて失速しやすくなる。これにより、選別部５６は、流動する処理物から穀粒を比重選別によって選別してケース本体５２内の下部に落下させる。前記回転体５７は、前記選別部５６から落下した穀粒に放てき作用してこの穀粒を中間処理ケース４０の前記排出口４２を介して中間処理ケース４０の内部に還元する。
【００２２】
排塵ケース５０における前記排出ケース部５４の前記排塵口５３が装備されている延出端側部分５４ａと、前記ケース本体５２に連結されている基端側部分５４ｂとの間に、前記排塵口５３の高さ変更のための調節部６０を設けてある。
すなわち、この調節部６０は、前記延出端側部分５４ａを前記基端側部分５４ｂに対して機体上下方向に伸縮調節自在に連結しており、延出端側部分５４ａを基端側部分５４ｂに対して伸縮調節することにより、排塵口５３の前記選別部５６からの機体上下方向での高さが変化するように排塵口５３を選別部５６に対して昇降調節できるようにしている
【００２３】
つまり、２番コンベヤ２２によって脱穀機体の横一端側に搬送された選別部Ｂからの２番処理物が中間処理ケース４０の内部に投入口４１から導入され、放出回転体４３の回転羽根４３ａによる放てきによる放出作用と、放出回転体４３の回転羽根４３ａが発生させる風による放出作用とによって中間処理ケース４０の排出口４２から排出されて揚送コンベヤ２３及び排塵ケース５０に供給される。このとき、穀粒や塵埃の重量差などに起因して穀粒が排出口４２の機体上方側部分に飛びやすく、塵埃が排出口４２の下方側部分に飛びやすいことから、穀粒は塵埃と分別されて揚送コンベヤ２３に供給されやすくなり、塵埃は穀粒と分別されて排塵ケース５０のケース本体５２に供給されやすくなる。穀粒が塵埃に混入して排塵ケース５０のケース本体５２に入り込んだ場合、選別部５６によって抽出されて回転体５７によって中間処理ケース４０に還元され、再度、放出回転体４３によって排出口４２から放出されて揚送コンベヤ２３に供給される。これにより、２番コンベヤ２２からの処理物が中間処理ケース４０で穀粒と塵埃に選別され、穀粒は混入塵埃が少ない状態にして揚送コンベヤ２３によって脱穀機体内に還元されて揺動選別装置１１に供給され、塵埃は排塵ケース５０の排塵口５３から排出される。穀粒が排塵ケース５０に入り込むことがあっても、排塵ケース５０の選別部５６で抽出されて中間処理ケース４０に還元され、中間処理ケース４０から揚送コンベヤ２３に供給されて脱穀機体内に還元される。
【００２４】
また、脱穀処理される穀稈が湿っている場合、処理物の湿り度合いも高くなっており、排塵ケース５０の排塵口５３の選別部５６からの高さが高くなっていると、塵埃が排塵ケース５０の排塵口５３から出にくくなって穀粒に混入しやすくなる。このため、調節部６０によって排塵口５３を選別部５６からの高さが低くなるように下降調節する。すると、処理物の湿り度合いも高くても、塵埃が排塵ケース５０の排塵口５３から出やすくなり、塵埃を穀粒に混入しにくくしながら穀粒を脱穀機体内に還元することができるようになる。
脱穀処理される穀稈が乾燥している場合、処理物も乾燥しており、排塵ケース５０の排塵口５３の選別部５６からの高さが低くなっていると、穀粒が排塵ケース５０の排塵口５３から出やすくなる。このため、調節部６０によって排塵口５３を選別部５６からの高さが高くなるように上昇調節する。すると、穀粒が排塵ケース５０の排塵口５３から出にくくなり、処理物が乾燥していても、穀粒を塵埃と共に排出されにくくしながら脱穀機体内に還元することができるようになる。
【００２５】
図４に示すように、前記揚送コンベヤ２３が脱穀機体内に処理物を吐出する前記投入口２４を、扱室２の後側板６の後方側近くに配置してある。すなわち、回動する扱胴３のために扱室内で発生した風が送塵口４の図４に示す部分４ａから脱穀機体後方向きに吹き出ており、揚送コンベヤ２３から脱穀機体内に還元される処理物が扱室２から吹き出る風の通路に落下し、その吹き出し風による選別処理を受けて揺動選別装置１１に落下するようになっている。
【００２６】
図１に示すように、扱胴３の後端部に、前端側部分のドラムに比して外径が小さい小径ドラム７ａ、及び、前端側部分の扱歯に比してドラムからの突出長さが長い長尺扱歯７ｂを備えた仕上げ扱胴部７を設けてある。この仕上げ扱胴部７は、扱室３から搬出される直前の脱穀排ワラを長い扱歯７ｂでほぐし処理して扱き残しやササリ粒を解消する仕上げ処理を行なう。
【００２７】
図５は、別の実施形態を備えた仕上げ扱胴部７を備えた扱胴３を示し、この扱胴３の仕上げ扱胴部７にあっては、外径が小さい小径ドラム７ａ、及び、ドラムからの突出長さが長い長尺扱歯７ｂを備える他に、小径ドラム７ａの周方向での２〜４箇所に固設された仕上げプレート７ｃを備えている。この仕上げプレート７ｃは、脱穀排ワラを叩き処理してササリ粒を取り出す仕上げ処理を行なう。
【００２８】
図６は、別の実施形態を備えた扱胴３を示し、この扱胴３にあっては、扱胴後端部のドラムの周方向での複数箇所に固設した仕上げ板７ｃを備えてある。この扱胴３は、扱室２から搬出される直前の脱穀排ワラを仕上げ板７ｃによってほぐし処理や叩き処理してササリ粒や扱き残しを解消する仕上げ処理を行なう。
【図面の簡単な説明】
【００２９】
【図１】コンバイン用脱穀機の側面図
【図２】中間処理ケースの縦断正面図
【図３】中間処理ケース及び排塵ケースの縦断側面図
【図４】脱穀機体内の一部の後面図
【図５】別の実施形態を備えた扱胴の側面図
【図６】別の実施形態を備えた扱胴の側面図
【符号の説明】
【００３０】
２２        ２番コンベヤ
２３        揚送コンベヤ
４０        中間処理ケース
４２        中間処理ケースの排出口
４３        放出回転体
２３ｂ        揚送コンベヤの受け入れ口
５０        排塵ケース
５３        排塵ケースの排塵口
５７          回転体
６０          調節部
Ｂ        選別部
【図１】
2005295845.tif 000003
【図２】
2005295845.tif 000004
【図３】
2005295845.tif 000005
【図４】
2005295845.tif 000006
【図５】
2005295845.tif 000007
【図６】
2005295845.tif 000008